【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
検出間隔を決定するためにタイミングソースの階層を使用するための方法であって、
外部タイミングソースを検索することと、
１つまたは複数の外部タイミングソースが見出された場合、
階層に少なくとも基づいて、前記１つまたは複数の外部タイミングソースを順序付けることと、
ここにおいて、前記階層が、全地球測位システムソースからの時間、セルラーネットワークからの時間及びインフラストラクチャアクセスポイントからの時間のうちの少なくとも１つを含む、
オフセットを決定することと、
前記順序付けられた外部タイミングソースおよび前記オフセットに少なくとも基づいて、検出間隔を計算することと
を備える方法。
【請求項２】
前記オフセットを決定することが、前記見出された外部タイミングソースおよび前記階層に少なくとも一部基づいて、前記オフセットを決定することを備える、請求項１に記載の方法。
【請求項３】
前記階層が、外部タイミングソースの順序付けられたリストを含み、前記順序が、外部タイミングソースの正確度または粒度に少なくとも一部基づく、請求項１に記載の方法。
【請求項４】
インフラストラクチャアクセスポイントの階層が、ワイヤレスネットワーク名およびワイヤレスネットワーク信号強度のうちの少なくとも１つに少なくとも一部基づく、請求項１に記載の方法。
【請求項５】
インフラストラクチャアクセスポイントの前記階層が、インフラストラクチャアクセスポイントが強弱信号強度、またはニアツーインフラストラクチャファーアクセスポイントから順序付けられるように、ワイヤレスネットワーク信号強度に基づく、請求項４に記載の方法。
【請求項６】
ワイヤレスデバイスがいつ動いているかを検出することをさらに備え、ここにおいて、外部タイミングソースを検索することが、前記ワイヤレスデバイスの前記動きに少なくとも一部基づいて、外部タイミングソースを検索することを備える、請求項１に記載の方法。
【請求項７】
前記検出間隔の間にメッセージを走査することと、
前記検出間隔の間に何のメッセージも受信されない場合、前記検出間隔の間に検出パケットまたは同期メッセージを送信することと
をさらに備える、請求項１に記載の方法。
【請求項８】
外部タイミングソースを検索するための手段と、
１つまたは複数の外部タイミングソースが見出された場合、
階層に少なくとも基づいて、前記１つまたは複数の外部タイミングソースを順序付けるための手段と、
ここにおいて、前記階層が、全地球測位システムソースからの時間、セルラーネットワークからの時間及びインフラストラクチャアクセスポイントからの時間のうちの少なくとも１つを含む、
オフセットを決定するための手段と、
前記順序付けられた外部タイミングソースおよび前記オフセットに少なくとも基づいて、検出間隔を計算するための手段と
を備える、ワイヤレス通信のための装置。
【請求項９】
前記オフセットを決定するための手段が、前記見出された外部タイミングソースおよび前記階層に少なくとも一部基づいて、前記オフセットを決定するための手段を備える、請求項８に記載の装置。
【請求項１０】
前記階層が、外部タイミングソースの順序付けられたリストを含み、前記順序が、外部タイミングソースの正確度または粒度に少なくとも一部基づく、請求項８に記載の装置。
【請求項１１】
インフラストラクチャアクセスポイントの階層が、ワイヤレスネットワーク名およびワイヤレスネットワーク信号強度のうちの少なくとも１つに少なくとも一部基づく、請求項８に記載の装置。
【請求項１２】
インフラストラクチャアクセスポイントの前記階層が、インフラストラクチャアクセスポイントが強弱信号強度、またはニアツーインフラストラクチャファーアクセスポイントから順序付けられるように、ワイヤレスネットワーク信号強度に基づく、請求項１１に記載の装置。
【請求項１３】
ワイヤレスデバイスがいつ動いているかを検出するための手段をさらに備え、ここにおいて、外部タイミングソースを検索するための手段が、前記ワイヤレスデバイスの前記動きに少なくとも一部基づいて、外部タイミングソースを検索するための手段を備える、請求項８に記載の装置。
【請求項１４】
前記検出間隔の間にメッセージを走査するための手段と、
前記検出間隔の間に何のメッセージも受信されない場合、前記検出間隔の間に検出パケットまたは同期メッセージを送信するための手段と
をさらに備える、請求項８に記載の装置。
【請求項１５】
請求項１乃至７に記載の方法のいずれか一項を実行するための命令を備える、コンピュータプログラム。
【手続補正２】
【補正対象書類名】明細書
【補正対象項目名】００７９
【補正方法】変更
【補正の内容】
【００７９】
[0084]同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実行され、依然として望ましい結果を達成することができる。
以下に、本願出願の当初の特許請求の範囲に記載された発明を付記する。
［Ｃ１］
オフセット、および外部タイミングソースの階層に基づく外部時間に少なくとも一部基づいて、検出間隔を決定するように構成されたプロセッサと、
前記検出間隔の間にワイヤレスネットワークからのメッセージを走査するように構成された受信機と
を備える、アドホックワイヤレス通信ネットワークにおけるワイヤレスデバイス。
［Ｃ２］
前記オフセットが、前記外部時間を決定するために使用される外部タイミングソースに少なくとも一部基づく、Ｃ１に記載のワイヤレスデバイス。
［Ｃ３］
外部タイミングソースの前記階層が、外部タイミングソースの正確度または粒度に少なくとも一部基づいて順序付けられる、Ｃ１に記載のワイヤレスデバイス。
［Ｃ４］
外部タイミングソースの前記階層が、全地球測位システムソースからの時間、セルラーネットワークからの時間、インフラストラクチャアクセスポイントからの時間、インフラストラクチャアクセスポイントの階層からの時間のうちの少なくとも１つを含む、Ｃ１に記載のワイヤレスデバイス。
［Ｃ５］
インフラストラクチャアクセスポイントの前記階層が、ワイヤレスネットワーク名およびワイヤレスネットワーク信号強度のうちの少なくとも１つに少なくとも一部基づく、Ｃ４に記載のワイヤレスデバイス。
［Ｃ６］
インフラストラクチャアクセスポイントの前記階層が、インフラストラクチャアクセスポイントが強弱信号強度、またはニアツーインフラストラクチャファーアクセスポイントから順序付けられるように、ワイヤレスネットワーク信号強度に基づく、Ｃ５に記載のワイヤレスデバイス。
［Ｃ７］
前記ワイヤレスデバイスがいつ動いているかを検出するように構成されたセンサーをさらに備え、ここにおいて、前記プロセッサは、前記ワイヤレスデバイスの前記動きに少なくとも一部基づいて、検出間隔を決定するようにさらに構成される、Ｃ１に記載のワイヤレスデバイス。
［Ｃ８］
前記センサーが、ＧＰＳ受信機および加速度計のうちの１つまたは複数を備える、Ｃ７に記載のワイヤレスデバイス。
［Ｃ９］
前記検出間隔の間に何のメッセージも受信されない場合、前記検出間隔の間に検出パケットまたは同期メッセージを送信するように構成された送信機をさらに備える、Ｃ１に記載のワイヤレスデバイス。
［Ｃ１０］
前記検出パケットまたは前記同期メッセージが、前記検出間隔を決定するために使用される外部タイミングソースの表示を含む、Ｃ８に記載のワイヤレスデバイス。
［Ｃ１１］
前記プロセッサが、複数の周期的に発生する検出間隔を決定するように構成され、前記受信機が、前記複数の周期的に発生する検出間隔のうちの１つまたは複数の間にメッセージを走査するように構成される、Ｃ１に記載のワイヤレスデバイス。
［Ｃ１２］
検出間隔を決定するためにタイミングソースの階層を使用するための方法であって、
外部タイミングソースを検索することと、
１つまたは複数の外部タイミングソースが見出された場合、
階層に少なくとも一部基づいて、前記１つまたは複数の外部タイミングソースを順序付けることと、
オフセットを決定することと、
前記順序付けられた外部タイミングソースおよび前記オフセットに少なくとも一部基づいて、検出間隔を計算することと
を備える方法。
［Ｃ１３］
前記オフセット決定することが、前記見出された外部タイミングソースおよび前記階層に少なくとも一部基づいて、前記オフセットを決定することを備える、Ｃ１２に記載の方法。
［Ｃ１４］
前記階層が、外部タイミングソースの順序付けられたリストを含み、前記順序が、外部タイミングソースの正確度または粒度に少なくとも一部基づく、Ｃ１２に記載の方法。
［Ｃ１５］
前記階層が、全地球測位システムソースからの時間、セルラーネットワークからの時間、インフラストラクチャアクセスポイントからの時間、インフラストラクチャアクセスポイントの階層からの時間のうちの少なくとも１つを含む、Ｃ１２に記載の方法。
［Ｃ１６］
インフラストラクチャアクセスポイントの前記階層が、ワイヤレスネットワーク名およびワイヤレスネットワーク信号強度のうちの少なくとも１つに基づく、Ｃ１５に記載の方法。
［Ｃ１７］
インフラストラクチャアクセスポイントの前記階層が、インフラストラクチャアクセスポイントが強弱信号強度、またはニアツーインフラストラクチャファーアクセスポイントから順序付けられるように、ワイヤレスネットワーク信号強度に基づく、Ｃ１６に記載の方法。
［Ｃ１８］
ワイヤレスデバイスがいつ動いているかを検出することをさらに備え、ここにおいて、外部タイミングソースを検索することが、前記ワイヤレスデバイスの前記動きに少なくとも一部基づいて、外部タイミングソースを検索することを備える、Ｃ１２に記載の方法。
［Ｃ１９］
前記検出間隔の間にメッセージを走査することと、
前記検出間隔の間に何のメッセージも受信されない場合、前記検出間隔の間に検出パケットまたは同期メッセージを送信することと
をさらに備える、Ｃ１２に記載の方法。
［Ｃ２０］
前記検出パケットまたは前記同期メッセージが、前記検出間隔を計算するために使用される外部タイミングソースの表示を含む、Ｃ１９に方法。
［Ｃ２１］
検出間隔を計算することが、複数の周期的に発生する検出間隔を計算することを備える、Ｃ１２に記載の方法。
［Ｃ２２］
外部タイミングソースを検索するための手段と、
１つまたは複数の外部タイミングソースが見出された場合、
階層に少なくとも一部基づいて、前記１つまたは複数の外部タイミングソースを順序付けるための手段と、
オフセットを決定するための手段と、
前記順序付けられた外部タイミングソースおよび前記オフセットに少なくとも一部基づいて、検出間隔を計算するための手段と
を備える、ワイヤレス通信のための装置。
［Ｃ２３］
前記オフセットを決定するための手段が、前記見出された外部タイミングソースおよび前記階層に少なくとも一部基づいて、前記オフセットを決定するための手段を備える、Ｃ２２に記載の装置。
［Ｃ２４］
前記階層が、外部タイミングソースの順序付けられたリストを含み、前記順序が、外部タイミングソースの正確度または粒度に少なくとも一部基づく、Ｃ２２に記載の装置。
［Ｃ２５］
前記階層が、全地球測位システムソースからの時間、セルラーネットワークからの時間、インフラストラクチャアクセスポイントからの時間、インフラストラクチャアクセスポイントの階層からの時間のうちの少なくとも１つを含む、Ｃ２２に記載の装置。
［Ｃ２６］
インフラストラクチャアクセスポイントの前記階層が、ワイヤレスネットワーク名およびワイヤレスネットワーク信号強度のうちの少なくとも１つに少なくとも一部基づく、Ｃ２５に記載の装置。
［Ｃ２７］
インフラストラクチャアクセスポイントの前記階層が、インフラストラクチャアクセスポイントが強弱信号強度、またはニアツーインフラストラクチャファーアクセスポイントから順序付けられるように、ワイヤレスネットワーク信号強度に基づく、Ｃ２６に記載の装置。
［Ｃ２８］
ワイヤレスデバイスがいつ動いているかを検出するための手段をさらに備え、ここにおいて、外部タイミングソースを検索するための手段が、前記ワイヤレスデバイスの前記動きに少なくとも一部基づいて、外部タイミングソースを検索するための手段を備える、Ｃ１２に記載の装置。
［Ｃ２９］
前記検出間隔の間にメッセージを走査するための手段と、
前記検出間隔の間に何のメッセージも受信されない場合、前記検出間隔の間に検出パケットまたは同期メッセージを送信するための手段と
をさらに備える、Ｃ１２に記載の装置。
［Ｃ３０］
検出間隔を計算するための手段が、複数の周期的に発生する検出間隔を計算するための手段を備える、Ｃ１２に記載の装置。